(57)【要約】【課題】イメージセンサとＡＤＦとの相対的な位置関係を従来以上に精度良く位置決め可能な画像読取装置を提供すること。【解決手段】複合機１は、ＡＤＦユニット４において搬送される原稿の画像を読み取る際に、支持体２３が読取位置Ｐ１で静止する。また、支持体２３が読取位置Ｐ１へ移動する際、解除部として設けられた第一突出部８１及び第二突出部８２は、支持体２３をガイド部６１から離間させ、支持体２３とガイド部６１との接触を解除する。この状態において、支持体２３は、当接部５１Ｃに当接する。当接部５１Ｃは、ＡＤＦユニット４に対する相対位置の公差がガイド部６１よりも小さい部分とされている。【選択図】図９
2014049879.tif 000002
【特許請求の範囲】
【請求項１】
原稿が載置される載置部と、
原稿を所定の搬送経路に沿って搬送する搬送部と、
原稿の画像を読み取る読取部と
を備え、
前記読取部は、
主走査方向に配列された複数の読取素子を有するイメージセンサと、
前記イメージセンサを支持し、前記主走査方向に直交する副走査方向へ前記イメージセンサとともに移動可能な支持体と、
前記支持体が前記副走査方向へ移動する際に、前記支持体と接触することによって前記支持体を前記副走査方向へと案内するガイド部と、
前記支持体を前記副走査方向へと移動させる駆動部と
を備え、
前記載置部に載置された原稿の画像を読み取る際には、前記支持体が所定の読取範囲内を前記副走査方向へ移動する一方、前記搬送部によって搬送される原稿の画像を読み取る際には、前記支持体が所定の読取位置で静止するように構成され、
前記支持体は、前記所定の読取範囲内を前記副走査方向へ移動する際に、前記ガイド部との接触を維持したまま移動するように構成され、
さらに、
前記支持体が前記所定の読取位置へ移動する際に、前記支持体を前記ガイド部から離間させ、前記ガイド部との接触を解除する解除部と、
前記搬送部に対する相対位置の公差が前記ガイド部よりも小さい部分であって、前記支持体が前記所定の読取位置へ移動した際には、前記解除部により前記ガイド部から離間させられた前記支持体と当接する当接部と
を備える画像読取装置。
【請求項２】
前記解除部は、前記ガイド部上に突設された少なくとも一つの突出部からなり、
前記支持体は、前記所定の読取位置へ移動した際に、前記突出部に乗り上げることによって前記ガイド部から離間する
請求項１に記載の画像読取装置。
【請求項３】
前記突出部は、複数あって、前記副走査方向について互いに離間した位置に形成されており、
前記支持体は、前記所定の読取位置へ移動した際に、前記複数の突出部に同時に乗り上げることによって前記ガイド部から離間する
請求項２に記載の画像読取装置。
【請求項４】
前記複数の突出部は、前記副走査方向から見たときに重なって見える位置にあり、かつ、前記支持体が前記所定の読取位置へ移動する際の移動方向について、より上流側にある突出部ほど突出高さが低く、より下流側にある突出部ほど突出高さが高くされている
請求項３に記載の画像読取装置。
【請求項５】
前記支持体は、前記所定の読取位置へ移動した際に前記突出部と接触する位置に、前記突出部側に向かって突出する凸部を有する
請求項２〜請求項４のいずれか一項に記載の画像読取装置。
【請求項６】
前記突出部は、前記支持体が前記所定の読取位置へ移動する際の移動方向について、上流側となる部分の形状が、上流側から下流側に向かって上り勾配となる傾斜部を有する形状とされ、
前記支持体は、前記所定の読取位置へ移動する際に、前記傾斜部に当接してから当該傾斜部に沿って前記突出部に乗り上げる
請求項２〜請求項５のいずれか一項に記載の画像読取装置。
【請求項７】
前記所定の読取範囲と前記所定の読取位置との間には、前記イメージセンサによって読み取られる画像の基準を調整する際に前記イメージセンサによって読み取られる基準部材が配置され、
前記突出部は、前記支持体が前記所定の読取位置へ移動する際の移動方向について、前記基準部材よりも下流側に設けられている
請求項１〜請求項６のいずれか一項に記載の画像読取装置。
【請求項８】
前記ガイド部の上方には、前記ガイド部とは別体となるカバー部材が配設されていて、当該カバー部材によって装置本体の上部が構成されるとともに、当該カバー部材に対しヒンジ部を介して前記搬送部が開閉可能に取り付けられており、
前記当接部は、前記カバー部材に一体成形されている
請求項１〜請求項７のいずれか一項に記載の画像読取装置。
【請求項９】
前記ガイド部は、樹脂材料を成形してなる樹脂部品である
請求項１〜請求項８のいずれか一項に記載の画像読取装置。
【請求項１０】
前記支持体は、前記イメージセンサが取り付けられるキャリッジ部に対し、前記ガイド部と接触しつつ前記ガイド部に沿ってスライドするスライダ部が取り付けられた構造とされており、
前記スライダ部は、前記キャリッジ部よりも摺動性の高い材料で形成されている
請求項１〜請求項９のいずれか一項に記載の画像読取装置。
【発明の詳細な説明】
【技術分野】
【０００１】
本発明は、画像読取装置に関する。
【背景技術】
【０００２】
従来、フラットベッド型と呼ばれる画像読取装置が知られている。この種の画像読取装置は、一般に、主走査方向に配列された読取素子を有するイメージセンサと、そのイメージセンサを副走査方向へ移動させるキャリッジとを備える。キャリッジは、ガイドシャフトに沿って移動可能な構造とされる。ガイドシャフトとしては、丸棒状の金属軸などが利用される（例えば、下記特許文献１参照。）。
【先行技術文献】
【特許文献】
【０００３】
【特許文献１】特開平１１−２６６３４７公報
【発明の概要】
【発明が解決しようとする課題】
【０００４】
ところで、上述のようなフラットベッド型の画像読取装置に対し、更に自動原稿送り装置（Automatic  Document  Feeder；以下、ＡＤＦと略称する。）を付加したものも知られている。ＡＤＦを利用する場合、上述のキャリッジ及びイメージセンサは所定の読取位置で静止する。原稿がＡＤＦによって搬送されると、その原稿は搬送途中で読取位置にあるイメージセンサと対向する箇所を通過し、その際にイメージセンサが原稿の画像を読み取る。
【０００５】
このような画像読取装置において、イメージセンサとガイドシャフトとの間には、それほど多くの部品が介在することはない。そのため、それらの部品寸法の公差や部品間の位置決め精度の公差を考慮しても、イメージセンサとガイドシャフトは、比較的精度良く位置決めされ得る状態にあり、フラットベットを使用した読取では、画像の読取品質は安定している。
【０００６】
しかし、イメージセンサとＡＤＦとの間には、イメージセンサとガイドシャフトとの間に介在する部品に加え、更にガイドシャフトからＡＤＦに至るまでの間にも数多くの部品が介在する。そのため、それら全ての部品について、部品寸法の公差や部品間の位置決め精度の公差を考慮すると、イメージセンサとＡＤＦを精度良く位置決めすることは相応に難しくなる。
【０００７】
イメージセンサとＡＤＦの位置決め精度が低い場合、イメージセンサの有する読取素子の配列方向（主走査方向）と、ＡＤＦによる原稿の搬送方向（副走査方向）とが、僅かに傾いて直交しなくなるおそれがある。そのような傾きは、装置ごとに傾きの程度が異なるため、ＡＤＦを使用した画像の読み取り品質にばらつきが生じる原因になる。
【０００８】
本発明は、上記問題を解決するためになされたものであり、その目的は、イメージセンサとＡＤＦとの相対的な位置関係を従来以上に精度良く位置決め可能な画像読取装置を提供することにある。
【課題を解決するための手段】
【０００９】
以下、本発明において採用した構成について説明する。
本発明の画像読取装置は、原稿が載置される載置部と、原稿を所定の搬送経路に沿って搬送する搬送部と、原稿の画像を読み取る読取部とを備え、前記読取部は、主走査方向に配列された複数の読取素子を有するイメージセンサと、前記イメージセンサを支持し、前記主走査方向に直交する副走査方向へ前記イメージセンサとともに移動可能な支持体と、前記支持体が前記副走査方向へ移動する際に、前記支持体と接触することによって前記支持体を前記副走査方向へと案内するガイド部と、前記支持体を前記副走査方向へと移動させる駆動部とを備え、前記載置部に載置された原稿の画像を読み取る際には、前記支持体が所定の読取範囲内を前記副走査方向へ移動する一方、前記搬送部によって搬送される原稿の画像を読み取る際には、前記支持体が所定の読取位置で静止するように構成され、前記支持体は、前記所定の読取範囲内を前記副走査方向へ移動する際に、前記ガイド部との接触を維持したまま移動するように構成され、さらに、前記支持体が前記所定の読取位置へ移動する際に、前記支持体を前記ガイド部から離間させ、前記ガイド部との接触を解除する解除部と、前記搬送部に対する相対位置の公差が前記ガイド部よりも小さい部分であって、前記支持体が前記所定の読取位置へ移動した際には、前記解除部により前記ガイド部から離間させられた前記支持体と当接する当接部とを備える。
【００１０】
このように構成された画像読取装置によれば、載置部に載置された原稿の画像を読み取る際には、支持体がガイド部との接触を維持したまま、所定の読取範囲内を副走査方向へ移動する。一方、搬送部によって搬送される原稿の画像を読み取る際には、支持体はガイド部から離間させられ、ガイド部との接触を解除された支持体は当接部に当接する。
【００１１】
この当接部は、搬送部に対する相対位置の公差がガイド部よりも小さい部分とされているので、支持体がガイド部に接触している状態に比べ、支持体と搬送部との間で蓄積される公差は小さくなる。したがって、搬送部によって搬送される原稿の画像を読み取る際には、支持体と搬送部との間で蓄積される公差が原因となって読み取った画像の品質が低下するのを、抑制することができる。
【００１２】
本発明の画像読取装置において、前記解除部は、前記ガイド部上に突設された少なくとも一つの突出部からなり、前記支持体は、前記所定の読取位置へ移動した際に、前記突出部に乗り上げることによって前記ガイド部から離間することが好ましい。
【００１３】
このように構成された画像読取装置によれば、ガイド部上に突設された突出部によって解除部が構成されるので、解除部を簡素な構造とすることができ、より複雑な構造の解除部を設ける場合に比べ、容易に解除部を設けることができる。
【００１４】
本発明の画像読取装置において、前記突出部は、複数あって、前記副走査方向について互いに離間した位置に形成されており、前記支持体は、前記所定の読取位置へ移動した際に、前記複数の突出部に同時に乗り上げることによって前記ガイド部から離間することが好ましい。
【００１５】
このように構成された画像読取装置によれば、支持体が所定の読取位置へ移動した際、支持体は複数の突出部に同時に乗り上げ、平行移動するかたちでガイド部から離間する。したがって、突出部に乗り上げるときに支持体の傾きが変動するものに比べ、支持体の挙動が安定することになり、また、支持体が突出部に乗り上げた後も、支持体をより安定した状態で突出部上に支持することができる。
【００１６】
本発明の画像読取装置において、前記複数の突出部は、前記副走査方向から見たときに重なって見える位置にあり、かつ、前記支持体が前記所定の読取位置へ移動する際の移動方向について、より上流側にある突出部ほど突出高さが低く、より下流側にある突出部ほど突出高さが高くされていることが好ましい。
【００１７】
このように構成された画像読取装置によれば、複数の突出部は、副走査方向から見たときに重なって見える位置にあるので、副走査方向から見たときに重なって見えない位置に複数の突出部を設ける場合に比べ、突出部の配置に必要な領域がコンパクトになる。
【００１８】
また、より上流側にある突出部ほど突出高さが低く、より下流側にある突出部ほど突出高さが高くされている。そのため、複数の突出部が副走査方向から見たときに重なって見える位置にあるにもかかわらず、支持体が上述した所定の読取位置へ移動した際に、下流側にある突出部へ乗り上げることとなる箇所は、上流側にある突出部へ乗り上げることなく、上流側の突出部を通過することができる。
【００１９】
したがって、上流側にある突出部の突出高さが下流側よりも高い場合や、上流側と下流側とで突出高さが同じである場合とは異なり、支持体を下流側の突出部に適切に乗り上げさせることができる。
【００２０】
本発明の画像読取装置において、前記支持体は、前記所定の読取位置へ移動した際に前記突出部と接触する位置に、前記突出部側に向かって突出する凸部を有することが好ましい。
【００２１】
このように構成された画像読取装置によれば、支持体側に上述のような凸部が設けてあるので、支持体が上述した所定の読取位置へ移動した際には、凸部の先端で突出部に接触して突出部に乗り上げることになる。したがって、凸部の先端よりも大きな面で突出部に接触する場合に比べ、支持体とガイド部との間に作用する摩擦力を低減でき、支持体がガイド部を基準とする位置に位置決めされた状態を、よりスムーズに解除することができる。
【００２２】
本発明の画像読取装置において、前記突出部は、前記支持体が前記所定の読取位置へ移動する際の移動方向について、上流側となる部分の形状が、上流側から下流側に向かって上り勾配となる傾斜部を有する形状とされ、前記支持体は、前記所定の読取位置へ移動する際に、前記傾斜部に当接してから当該傾斜部に沿って前記突出部に乗り上げることが好ましい。
【００２３】
このように構成された画像読取装置によれば、支持体が突出部へ乗り上げる際には、傾斜部に当接してから傾斜部に沿って突出部に乗り上げるので、このような傾斜部が設けられていない場合に比べ、支持体をスムーズに突出部へ乗り上げさせることができる。
【００２４】
本発明の画像読取装置において、前記所定の読取範囲と前記所定の読取位置との間には、前記イメージセンサによって読み取られる画像の基準を調整する際に前記イメージセンサによって読み取られる基準部材が配置され、前記突出部は、前記支持体が前記所定の読取位置へ移動する際の移動方向について、前記基準部材よりも下流側に設けられていることが好ましい。
【００２５】
このように構成された画像読取装置によれば、イメージセンサによって読み取られる画像の基準を調整する際には、突出部の影響を受けない位置で、適切に基準部材を読み取ることができる。
【００２６】
本発明の画像読取装置において、前記ガイド部の上方には、前記ガイド部とは別体となるカバー部材が配設されていて、当該カバー部材によって装置本体の上部が構成されるとともに、当該カバー部材に対しヒンジ部を介して前記搬送部が開閉可能に取り付けられており、前記当接部は、前記カバー部材に一体成形されていることが好ましい。
【００２７】
このように構成された画像読取装置によれば、搬送部と当接部との間に蓄積されうる公差は、カバー部材とヒンジ部との間の公差、及びヒンジ部と搬送部との間の公差となる。そのため、カバー部材とは別体のガイド部を基準にして支持体の位置決めをする場合よりも、カバー部材と一体形成されている当接部を基準にして支持体の位置決めをする方が、搬送部と支持体との間に蓄積される公差を少なくすることができ、原稿の読み取り精度を高めることができる。
【００２８】
本発明の画像読取装置において、前記ガイド部は、樹脂材料を成形してなる樹脂部品であることが好ましい。
このように構成された画像読取装置によれば、ガイド部が樹脂部品とされているので、金属製のガイド部などとは異なり、ガイド部と突出部を一体成形するなどの手法によって、容易に突出部を設けることができる。
【００２９】
本発明の画像読取装置において、前記支持体は、前記イメージセンサが取り付けられるキャリッジ部に対し、前記ガイド部と接触しつつ前記ガイド部に沿ってスライドするスライダ部が取り付けられた構造とされており、前記キャリッジ部は、前記スライダ部よりも機械的強度の高い材料で形成され、前記スライダ部は、前記キャリッジ部よりも摺動性の高い材料で形成されていることが好ましい。
【００３０】
このように構成された画像読取装置によれば、キャリッジ部及びスライダ部を形成する材料が、上述のように異なる材料とされている。したがって、いずれか一方の材料で支持体全体を一体成形した場合よりも、キャリッジ部及びスライダ部それぞれの性能を最適化することができる。
【図面の簡単な説明】
【００３１】
【図１】複合機全体の外観を示す斜視図。
【図２】複合機の内部構成を示すブロック図。
【図３】スキャナユニット及びＡＤＦユニットの外観を示す斜視図。
【図４】ヒンジ部付近の構造を示した斜視図。
【図５】スキャナユニットを示す平面図。
【図６】スキャナユニット及びＡＤＦユニットの概略構造を示す縦断面図。
【図７】ガイド部及び解除部を示す斜視図。
【図８】（ａ）はスライダ部とガイド部が当接する位置にある状態を示す装置正面側から見た従断面図、（ｂ）は図８（ａ）中にＡ−Ａ線で示した範囲の縦断面図。
【図９】（ａ）はスライダ部とガイド部が離間する位置にある状態を示す装置正面側から見た従断面図、（ｂ）は図９（ａ）中にＢ−Ｂ線で示した範囲の縦断面図。
【図１０】支持体と当接部の位置決めの様子を示す説明図。
【発明を実施するための形態】
【００３２】
次に、本発明の実施形態について一例を挙げて説明する。本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係を簡潔に説明するため、図中に併記した上下左右前後の各方向を利用して説明を行う。
【００３３】
［複合機の構造］
図１に示すように、複合機１は、本体ユニット２と、本体ユニット２の上側に搭載されたスキャナユニット３と、スキャナユニット３の上側に搭載されたＡＤＦユニット４とを備えている。本体ユニット２の前側上部には、利用者によって操作される操作パネル６が設けられている。本体ユニット２の下部には、印刷前の被記録媒体が収納される給紙カセット８Ａ，８Ｂが装着されている。
【００３４】
これらのうち、本体ユニット２には、図２に示すように、上述した操作パネル６の他、制御部１１、画像形成部１２、ＬＡＮ通信部１３、ＰＳＴＮ通信部１４などが設けられている。
【００３５】
制御部１１は、周知のＣＰＵ１１Ａ、ＲＯＭ１１Ｂ、ＲＡＭ１１Ｃ、ＮＶＲＡＭ１１Ｄ、インターフェース部１１Ｅなどを備えている。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００３６】
画像形成部１２は、電子写真方式又はインクジェット方式の印刷機構を備える。ＬＡＮ通信部１３は、無線ＬＡＮに対応した通信インターフェース装置及び有線ＬＡＮに対応した通信インターフェース装置によって構成される。ＰＳＴＮ通信部１４は、ＦＡＸモデムや音声ＣＯＤＥＣなど、公衆回線（Public Switched Telephone Networks；ＰＳＴＮ）に接続する上で必要となる各種機器によって構成される。
【００３７】
操作パネル６には、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）が設けられている。
【００３８】
スキャナユニット３は、複数の読取素子を有するライン型のイメージセンサ２１と、イメージセンサ２１を支持する支持体２３とを備えている。また、スキャナユニット３には、モータ２５と、モータ２５によって駆動されるギヤ機構２７と、ギヤ機構２７によって駆動されるタイミングベルト２９などが設けられ、上述の支持体２３は、タイミングベルト２９に連結されている。モータ２５は、制御部１１のインターフェース部１１Ｅに設けられたモータ駆動部１１Ｆから駆動信号を受けて作動する。モータ２５が発生させた動力は、ギヤ機構２７及びタイミングベルト２９を介して支持体２３へと伝達され、その結果、支持体２３はイメージセンサ２１とともに左右方向に移動する。
【００３９】
ＡＤＦユニット４は、原稿を所定の搬送経路に沿って搬送する搬送ローラ３１〜３９を備えている。また、ＡＤＦユニット４には、モータ４１と、モータ４１によって駆動されるギヤ機構４３などが設けられている。モータ４１は、制御部１１のインターフェース部１１Ｅに設けられたモータ駆動部１１Ｇから駆動信号を受けて作動する。モータ４１が発生させた動力は、ギヤ機構４３を介して搬送ローラ３１〜３９へと伝達される。なお、搬送ローラ３１〜３９のうち、いくつかのローラはギヤ機構４３によって直接駆動される駆動ローラとされ、残りのいくつかのローラは、駆動ローラ又は原稿に追従して回転する従動ローラとされている。
【００４０】
［スキャナユニットに対するＡＤＦユニットの取り付け構造］
図１に示すように、  スキャナユニット３の上部にはカバー部材５１が設けられ、カバー部材５１にプラテンガラス５３が取り付けられている。カバー部材５１は、プラテンガラス５３の四辺を囲むフレーム部５１Ａと、プラテンガラス５３の上面を第一領域５３Ａ及び第二領域５３Ｂに区画する仕切り部５１Ｂとを有する。なお、本実施形態では、プラテンガラス５３を一枚で構成し、仕切り部５１Ｂにより、第一領域５３Ａと第二領域５３Ｂに区画する構成としているが、第一領域５３Ａと第二領域５３Ｂとを別々のプラテンガラスにより構成してもよい。
【００４１】
ＡＤＦユニット４は、図３に示すように、左右方向に離間した位置に設けられた一対のヒンジ部５５を介して、スキャナユニット３に対して開閉可能に取り付けられている。ヒンジ部５５の上端側には、図４に示すように、軸受部５５Ａが設けられ、ＡＤＦユニット４側には回動軸４Ａが設けられている。回動軸４Ａは、軸受部５５Ａによって回動可能に支持されている。
【００４２】
ＡＤＦユニット４を開いた際には、図１に示すように、プラテンガラス５３の上面が外部に露出する。一方、ＡＤＦユニット４を閉じた際には、ＡＤＦユニット４がプラテンガラス５３の上面を覆うカバーとして機能する。
【００４３】
ヒンジ部５５は、図３及び図４に示すように、ねじ５７によってスキャナユニット３に対して固定されている。スキャナユニット３が備えるカバー部材５１には、図３に示すように、一つのヒンジ部５５に対応付けて二つの位置決め突起５９が設けられている。
【００４４】
ヒンジ部５５をスキャナユニット３に固定する際には、ヒンジ部５５側に形成された位置決め孔５５Ｂに位置決め突起５９が嵌め込まれる。これにより、ヒンジ部５５は、カバー部材５１に対して比較的精度良く位置決めされた状態で、スキャナユニット３に固定される。なお、本実施形態では、ヒンジ部５５を装置本体の後端側の２ヶ所に設ける構成としているが、ヒンジ部５５の数は２ヶ所に限定されるものではなく、取り付け方法も、ヒンジ部５５がスキャナユニット３に固定できれば、上記固定方法に限定されるものではない。
【００４５】
［スキャナユニットの詳細］
スキャナユニット３の内部には、図３及び図５に示すように、上述したイメージセンサ２１、支持体２３、タイミングベルト２９などが配設されている。なお、図５には、イメージセンサ２１が支持体２３とともに位置Ｐ１へ移動した状態と位置Ｐ２へ移動した状態とを併記してある。
【００４６】
イメージセンサ２１は、本実施形態の場合、密着イメージセンサ（ＣＩＳ；Contact Image Sensor）とされている。イメージセンサ２１が有する複数の読取素子は、複合機１における前後方向に配列されている。以下、この読取素子の配列方向である前後方向のことを主走査方向とも称する。
【００４７】
支持体２３は、図５に示すように、キャリッジ部２３Ａと、キャリッジ部２３Ａの底部に取り付けられたスライダ部２３Ｂとを有する。スライダ部２３Ｂは、キャリッジ部２３Ａの主走査方向における中央付近に設けられ、キャリッジ部２３Ａよりも摺動性の高い材料で形成されている。具体的には、本実施形態の場合、キャリッジ部２３ＡはＡＢＳ樹脂で形成され、スライダ部２３Ｂはポリアセタール樹脂（ＰＯＭ）で形成されている。
【００４８】
スキャナユニット３が備えるベース部３Ａの上面側には、左右方向に延びるガイド部６１が設けられている。これらベース部３Ａ及びガイド部６１は、樹脂材料によって一体成形されている。タイミングベルト２９が駆動された際、支持体２３はガイド部６１に沿って左右方向へ移動する。その際、スライダ部２３Ｂは、ガイド部６１上を摺動する。以下、このイメージセンサ２１及び支持体の移動方向である左右方向のことを副走査方向とも称する。
【００４９】
イメージセンサ２１の前後方向の両端付近には、図５及び図６に示すように、イメージセンサ２１とプラテンガラス５３との間に介在するスペーサ６３が取り付けられている。また、支持体２３とイメージセンサ２１の間には圧縮ばね６５が介装されている。
【００５０】
イメージセンサ２１及びスペーサ６３は、圧縮ばね６５によって常にプラテンガラス５３側に向かって押し付けられる状態にある。そのため、支持体２３が移動する際に、支持体２３が僅かに上下動したとしても、スペーサ６３がプラテンガラス５３の下面に当接する状態は維持され、イメージセンサ２１はプラテンガラス５３の下面と平行に移動する。
【００５１】
スキャナユニット３において、カバー部材５１が有する仕切り部５１Ｂの下面には、基準部材６７が組み込まれている。基準部材６７は、白色部分と黒色部分が所定のパターンをなすように形成された部材で、画像の読み取りを行う際には、イメージセンサ２１の原点位置の補正やシェーディング補正を行うために、イメージセンサ２１で基準部材６７が読み取られる。
【００５２】
［ＡＤＦユニットの詳細］
ＡＤＦユニット４の内部には、図６に示すように、上述した複数の搬送ローラ３１〜３９が設けられている。これらの搬送ローラ３１〜３９を作動させると、原稿を所定の搬送経路（図６中に破線で示す経路。）に沿って搬送することができる。
【００５３】
複合機１がＡＤＦ型イメージスキャナとして利用される場合、スキャナユニット３において、イメージセンサ２１は図５における位置Ｐ１へ移動して静止する（以下、位置Ｐ１を読取位置Ｐ１とも称する。）。また、ＡＤＦユニット４において、搬送ローラ３１〜３９は、上述の搬送経路に沿って原稿を搬送する。
【００５４】
搬送される原稿は、搬送経路の途中でプラテンガラス５３の第二領域５３Ｂに接する位置を左右方向へ通過する。この位置には、原稿押さえ７１が設けられている。搬送される原稿が原稿押さえ７１のある位置を通過する際には、原稿押さえ７１が第二領域５３Ｂに向かって原稿を押圧し、原稿をプラテンガラス５３の第二領域５３Ｂに密着させる。そして、読取位置Ｐ１にあるイメージセンサ２１は、第二領域５３Ｂ及び原稿押さえ７１に対向している。この状態で、イメージセンサ２１は、読取位置Ｐ１を通過する原稿の画像を、主走査方向に配列された読取素子で読み取ることができる。
【００５５】
図６に示すように、ＡＤＦユニット４の下面で、ＡＤＦユニット４を閉じた際にプラテンガラス５３の第一領域５３Ａに接する位置には、弾性部材７３が設けられている。弾性部材７３は、上層が発泡樹脂層、下層が樹脂フィルム層とされた積層体である。
【００５６】
複合機１がフラットベッド型イメージスキャナとして利用される場合、プラテンガラス５３の第一領域５３Ａに原稿が載置される。そして、必要があれば、ＡＤＦユニット４が閉じられる。このとき、弾性部材７３が第一領域５３Ａに載置された原稿を上から押圧し、原稿をプラテンガラス５３の第一領域５３Ａに密着させる。この状態で、イメージセンサ２１は支持体２３とともに副走査方向へ移動する。
【００５７】
本実施形態において、イメージセンサ２１は、右方へと往動する際に、所定の読取範囲Ａ１内において、プラテンガラス５３の第一領域５３Ａに載置された原稿の画像を、主走査方向に配列された読取素子で読み取る。その後、画像の読み取りを終えたら、イメージセンサ２１は左方へと復動して初期位置に復帰する。
【００５８】
［読取位置Ｐ１における支持体の位置決め機構］
ガイド部６１の左端付近には、図７に示すように、第一突出部８１と、第二突出部８２が形成されている。これら第一突出部８１及び第二突出部８２は、互いに左右方向へ離間した位置に形成され、副走査方向から見たときに重なって見える位置にある。
【００５９】
また、これら第一突出部８１と第二突出部８２は、双方ともガイド部６１の上端から上方へ向かって突出しているが、第二突出部８２の上端は、第一突出部８１の上端よりも高い位置（上方）にある。第一突出部８１の右端側には、右から左に向かって上り勾配となる傾斜部８１Ａが形成されている。第二突出部８２の右端側にも、右から左に向かって上り勾配となる傾斜部８２Ａが形成されている。傾斜部８１Ａ，８２Ａの上端側に連続する第一突出部８１と第二突出部８２の上端は、平坦な面となっている。
【００６０】
一方、スライダ部２３Ｂには、図８（ａ）、図８（ｂ）、図９（ａ）、及び図９（ｂ）に示すように、下方へ向かって突出する第一凸部８３及び第二凸部８４が形成されている。第一凸部８３は、支持体２３が読取位置Ｐ１へ移動した際に第一突出部８１に当接する位置に形成され、第二凸部８４は、支持体２３が読取位置Ｐ１へ移動した際に第二突出部８２に当接する位置に形成されている（図８（ａ）参照。）。
【００６１】
スライダ部２３Ｂが第一突出部８１及び第二突出部８２から離間した位置を移動する際、スライダ部２３Ｂは、スライダ部２３Ｂの上面部分が下降位置Ｈ１にある状態を維持したまま左右方向に移動する。このとき、スライダ部２３Ｂの下側に形成された溝部８５は、ガイド部６１の上端付近において、ガイド部６１の前後方向の両側でガイド部６１に接触する（図８（ｂ）参照。）。
【００６２】
このような接触状態の場合、スライダ部２３Ｂは、上下方向に垂直な面（＝前後方向及び左右方向に平行な面）に沿って回転する方向へは変位できない。そのため、支持体２３はガイド部６１を基準にして、支持体２３の長手方向とガイド部６１の長手方向が直交する位置に位置決めされることになる。
【００６３】
一方、支持体２３が左方へと移動して読取位置Ｐ１に到達すると、図９（ａ）、及び図９（ｂ）に示すように、スライダ部２３Ｂは、第一突出部８１及び第二突出部８２の上に乗り上げる。このとき、第一突出部８１及び第二突出部８２には傾斜部８１Ａ，８２Ａが設けられているので、支持体２３が左方へ移動するのに伴って、スライダ部２３Ｂを、スムーズに第一突出部８１及び第二突出部８２の上側へと案内することができる。
【００６４】
また、第一突出部８１と第二突出部８２とでは上端の位置（高さ）が異なり、それに合わせて第一凸部８３と第二凸部８４とでは下端の位置（高さ）が変えてある。そのため、支持体２３が読取位置Ｐ１に到達する際、第二凸部８４の下端は、第一突出部８１の上端に接触することなく、第一突出部８１の上方を左方へと通過し、第二突出部８２へ乗り上げることとなる。
【００６５】
このようにしてスライダ部２３Ｂが第一突出部８１及び第二突出部８２の上に乗り上げると、支持体２３は左右方向及び前後方向に対する傾きを変化させることなく僅かに上方へと移動し、スライダ部２３Ｂの上面部分は上昇位置Ｈ２に変位する。さらに、第一突出部８１、第二突出部８２の上端はそれぞれ平坦な面になっており、第一凸部８３、第二凸部８４に対して面で接触するため、ガイド部６１に対して上昇したスライダ部２３Ｂを安定した状態で支持できる。
【００６６】
また、この状態においては、スライダ部２３Ｂの下側に形成された溝部８５は、ガイド部６１の上端から離間する（図９（ｂ）参照。）。このような状態になると、スライダ部２３Ｂは、第一突出部８１、第二突出部８２の上端と、タイミングベルト２９とにより支持されており、上下方向に垂直な面（＝前後方向及び左右方向に平行な面）に沿って回転する方向へ変位することができる状態になる。すなわち、第一突出部８１及び第二突出部８２は、支持体２３が読取位置Ｐ１へ移動する際に、ガイド部６１との接触を解除する解除部として機能する。
【００６７】
しかも、支持体２３には、図５及び図９（ａ）に示すように、前後方向に離間した位置に設けられた一対の被当接部８７が形成されている。支持体２３が読取位置Ｐ１へ移動した際には、カバー部材５１に一体成形された当接部５１Ｃが、被当接部８７に当接する（図９（ａ）参照。）。
【００６８】
そのため、図１０（ａ）に示すように、支持体２３が当接部５１Ｃに対して若干傾いている状態であったとしても、当接部５１Ｃが一方の被当接部８７に当接すれば、支持体２３は、図１０（ｂ）に示すように、他方の被当接部８７が当接部５１Ｃに接近する方向へ回動する。その結果、支持体２３はカバー部材５１を基準にして位置決めされることになる。
【００６９】
すなわち、支持体２３は、読取位置Ｐ１においてはカバー部材５１を基準にして位置決めされる一方、読取範囲Ａ１を移動する際にはガイド部６１を基準にして位置決めされる。上述の通り、ＡＤＦユニット４はヒンジ部５５によって支持され、このヒンジ部５５とカバー部材５１は精度良く位置決めされている。しかし、ヒンジ部５５とガイド部６１との間には他の部品が介在しており、両者は直接位置決めされる関係にはない。
【００７０】
そのため、ＡＤＦユニット４に対する相対位置の公差は、カバー部材５１の方がガイド部６１よりも小さくなる。したがって、支持体２３が読取位置Ｐ１へ移動した際には、ガイド部６１を基準とした位置決めを解除して、カバー部材５１を基準とした位置決めに切り替えることで、支持体２３とＡＤＦユニット４との位置決め精度を、より一層向上させることができる。
【００７１】
［効果］
以上説明した通り、上記複合機１によれば、ＡＤＦユニット４において搬送される原稿の画像を読み取る際、支持体２３は、当接部５１Ｃに当接することで、ＡＤＦユニット４に対する相対位置の公差がガイド部６１よりも小さい部分に位置決めされる。
【００７２】
したがって、支持体２３がガイド部６１に対して位置決めされている場合に比べ、支持体２３とＡＤＦユニット４との間で蓄積される公差を小さくすることができ、蓄積される公差が原因となって読み取った画像の品質が低下するのを抑制することができる。
【００７３】
また、上記複合機１によれば、ガイド部６１上に突設された第一突出部８１及び第二突出部８２によって解除部が構成されるので、解除部を簡素な構造とすることができ、より複雑な構造の解除部を設ける場合に比べ、容易に解除部を設けることができる。
【００７４】
また、上記複合機１によれば、支持体２３が読取位置Ｐ１へ移動した際、支持体２３は第一突出部８１及び第二突出部８２に同時に乗り上げ、平行移動するかたちでガイド部６１から離間する。したがって、突出部に乗り上げるときに支持体２３の傾きが変動するものに比べ、支持体２３の挙動が安定することになる。また、支持体２３が第一突出部８１及び第二突出部８２に乗り上げた後も、支持体２３をより安定した状態で第一突出部８１及び第二突出部８２上に支持することができる。
【００７５】
また、上記複合機１によれば、第一突出部８１及び第二突出部８２は、副走査方向から見たときに重なって見える位置にあるので、副走査方向から見たときに重なって見えない位置に複数の突出部を設ける場合に比べ、突出部の配置に必要な領域がコンパクトになる。しかも、上記複合機１によれば、支持体２３が読取位置Ｐ１へ移動する際の移動方向について、より上流側にある第一突出部８１の突出高さが低く、より下流側にある第二突出部８２の突出高さが高くされている。そのため、第一突出部８１及び第二突出部８２が副走査方向から見たときに重なって見える位置にあるにもかかわらず、支持体２３が読取位置Ｐ１へ移動した際に、第二凸部８４は、上流側にある第一突出部８１へ乗り上げることなく、第一突出部８１を通過することができる。したがって、上流側にある第一突出部８１の突出高さが下流側の第二突出部８２よりも高い場合や、第一突出部８１と第二突出部８２の突出高さが同じである場合とは異なり、支持体２３を下流側の第二突出部８２に適切に乗り上げさせることができる。
【００７６】
また、上記複合機１によれば、支持体２３側に第一凸部８３及び第二凸部８４が設けてあるので、第一凸部８３及び第二凸部８４の先端よりも大きな面で第一突出部８１及び第二突出部８２に接触する場合に比べ、支持体２３とガイド部６１との間に作用する摩擦力を低減でき、支持体２３がガイド部６１を基準とする位置に位置決めされた状態を、よりスムーズに解除することができる。
【００７７】
また、上記複合機１によれば、支持体２３が第一突出部８１及び第二突出部８２へ乗り上げる際には、傾斜部８１Ａ，８２Ａに当接してから傾斜部８１Ａ，８２Ａに沿って第一突出部８１及び第二突出部８２に乗り上げるので、このような傾斜部８１Ａ，８２Ａが設けられていない場合に比べ、支持体２３をスムーズに第一突出部８１及び第二突出部８２へ乗り上げさせることができる。
【００７８】
また、上記複合機１によれば、第一突出部８１及び第二突出部８２の影響を受けない位置で、適切に基準部材６７を読み取ることができる。
また、上記複合機１によれば、ＡＤＦユニット４と当接部５１Ｃとの間に蓄積されうる公差は、カバー部材５１とヒンジ部５５との間の公差、及びヒンジ部５５とＡＤＦユニット４との間の公差となる。そのため、カバー部材５１とは別体のガイド部６１を基準にして支持体２３の位置決めをする場合よりも、カバー部材５１に一体の当接部５１Ｃを基準にして支持体２３の位置決めをする方が、ＡＤＦユニット４と支持体２３との間に蓄積される公差を少なくすることができ、原稿の読み取り精度を高めることができる。
【００７９】
また、上記複合機１によれば、ガイド部６１が樹脂部品とされているので、金属製のガイドシャフトなどとは異なり、ガイド部６１と突出部（例えば第一突出部８１及び第二突出部８２）を一体成形するなどの手法によって、容易に突出部を設けることができる。
【００８０】
さらに、上記複合機１によれば、スライダ部２３Ｂを形成する材料が、キャリッジ部２３Ａを形成する材料よりも摺動性の高い材料とされているので、支持体２３全体を同一材料で一体成形した場合よりも、キャリッジ部２３Ａ及びスライダ部２３Ｂそれぞれの性能を最適化できる。
【００８１】
［その他の実施形態］
以上、本発明の実施形態について説明したが、本発明は上記の具体的な一実施形態に限定されず、この他にも種々の形態で実施することができる。
【００８２】
例えば、上記実施形態では、本発明でいう解除部の具体例として、第一突出部８１及び第二突出部８２を例示したが、このような突出部の数は任意であり、一つの突出部又は三つ以上の突出部によって解除部を構成してもよい。ただし、一つの突出部の場合、支持体が乗り上げる際に支持体に傾きが生じやすくなるので、上記実施形態のように、支持体が複数の突出部に同時に乗り上げるように構成することが好ましい。
【００８３】
また、カバー部材５１の当接部５１Ｃと支持体２３とが直接的に位置決めできる構成であれば、上記実施形態のように、支持体２３に突状の被当接部８７を設ける形状に限定されるものではなく、他の形状であってもよい。
【００８４】
また、上記実施形態では、ガイド部６１を樹脂材料で形成する例を示したが、ガイド部として金属製のガイドシャフトを採用する場合にも、本発明の構成を採用することができる。
【００８５】
さらに、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用しても良い。
【符号の説明】
【００８６】
１・・・複合機、２・・・本体ユニット、３・・・スキャナユニット、３Ａ・・・ベース部、４・・・ＡＤＦユニット、４Ａ・・・回動軸、６・・・操作パネル、８Ａ・・・給紙カセット、１１・・・制御部、１１Ａ・・・ＣＰＵ、１１Ｂ・・・ＲＯＭ、１１Ｃ・・・ＲＡＭ、１１Ｄ・・・ＮＶＲＡＭ、１１Ｅ・・・インターフェース部、１１Ｆ，１１Ｇ・・・モータ駆動部、１２・・・画像形成部、１３・・・ＬＡＮ通信部、１４・・・ＰＳＴＮ通信部、２１・・・イメージセンサ、２３・・・支持体、２３Ａ・・・キャリッジ部、２３Ｂ・・・スライダ部、２５，４１・・・モータ、２７，４３・・・ギヤ機構、２９・・・タイミングベルト、３１〜３９・・・搬送ローラ、５１・・・カバー部材、５１Ａ・・・フレーム部、５１Ｂ・・・仕切り部、５１Ｃ・・・当接部、５３・・・プラテンガラス、５３Ａ・・・第一領域、５３Ｂ・・・第二領域、５５・・・ヒンジ部、５５Ａ・・・軸受部、５５Ｂ・・・位置決め孔、５７・・・ねじ、５９・・・位置決め突起、６１・・・ガイド部、６３・・・スペーサ、６５・・・圧縮ばね、６７・・・基準部材、７１・・・原稿押さえ、７３・・・弾性部材、８１・・・第一突出部、８２・・・第二突出部、８１Ａ，８２Ａ・・・傾斜部、８３・・・第一凸部、８４・・・第二凸部、８５・・・溝部、８７・・・被当接部。
【図１】
2014049879.tif 000003
【図２】
2014049879.tif 000004
【図３】
2014049879.tif 000005
【図４】
2014049879.tif 000006
【図５】
2014049879.tif 000007
【図６】
2014049879.tif 000008
【図７】
2014049879.tif 000009
【図８】
2014049879.tif 000010
【図９】
2014049879.tif 000011
【図１０】
2014049879.tif 000012